(57)【要約】【課題】ユーザーによるキー操作を必要としないペアリング機能を提供する。【解決手段】ペアリングの履歴を記憶しておき、規定数に達しない場合は自動的にペアリング動作を開始する。【選択図】図１
2010252133.tif 000002
【特許請求の範囲】
【請求項１】
第１の装置と、少なくとも１つの第２の装置をペアリングしてネットワークを構成する通信システムであって、
前記第１の装置は、
既にペアリングした実績の装置の一覧を保持するリスト保持手段と、
前記第２の装置が全て前記リスト保持手段で保持する一覧に存在するかどうかを判断するペアリング判断手段と、
前記ペアリング判断手段で前記一覧に存在しない場合にはその対象となる第２の装置をペアリング待ちに移行するペアリング待ち移行手段とを備え、
前記第２の装置は、
ペアリング待ちの状態の場合に、ペアリングを行うペアリング手段とを備えることを特徴とする通信システム。
【請求項２】
前記第１の装置は、前記リスト保持手段の一覧を削除する削除手段をさらに備えることを特徴とする通信システム。
【発明の詳細な説明】
【技術分野】
【０００１】
本発明は、ワイヤレススピーカーやネットワーク機器など、通信機能を持つ装置において、機器間通信設定及び制御に関するものである。
【背景技術】
【０００２】
近年、ワイヤレスやその他のネットワーク機能を有する機器は、セキュリティや混信防止のためのネットワーク番号や暗号化鍵の設定が必要とされている。通常、一般にペアリング等の名称で呼ばれるリンク確立のための初期設定を行い、既にネットワークを構成している機器（親機）のネットワーク設定を新規にネットワークに参加する機器（子機）に伝達することで、ネットワーク番号と暗号化鍵を設定する。
特許文献１には、ペアリング可能な機器の情報を表示するとともに、ユーザがその表示された機器の情報からペアリングしたい機器を選択することで、ペアリングを行うことを提案している。
また非特許文献１には、ペアリング用ボタンを押すというユーザー操作を行うことで、親機側をペアリング待ち状態とした後に、同じく子機側のペアリング用ボタンを押すことでペアリング実行をすることが提案されている。
【先行技術文献】
【特許文献】
【０００３】
【特許文献１】特開２００８−５１２８９１号公報
【非特許文献】
【０００４】
【非特許文献１】http://www.weca.net/wifi-protected-setup  Wi-Fi Protected Setup（登録商標）
【発明の概要】
【発明が解決しようとする課題】
【０００５】
ところが、文字入力機構や表示機構を持たない機器の場合には、特許文献１のような機器情報の表示と選択を実現することはできない。
またペアリングのための特別のキーを持たない機器の場合には、非特許文献１のように、親機及び子機のペアリング操作ができない。
【０００６】
そこで本発明は、ワイヤレススピーカー等の通信機能を持つ機器において、ユーザーの特別なキー操作を必要としないペアリング機能を有する通信システムを提供することを目的とする。
【課題を解決するための手段】
【０００７】
上記目的を達成するために、本発明の通信システムは、第１の装置と、少なくとも１つの第２の装置をペアリングしてネットワークを構成する通信システムであって、前記第１の装置は、既にペアリングした実績の装置の一覧を保持するリスト保持手段と、前記第２の装置が全て前記リスト保持手段で保持する一覧に存在するかどうかを判断するペアリング判断手段と、前記ペアリング判断手段で前記一覧に存在しない場合にはその対象となる第２の装置をペアリング待ちに移行するペアリング待ち移行手段とを備え、前記第２の装置は、ペアリング待ちの状態の場合に、ペアリングを行うペアリング手段とを備える。
【０００８】
このような構成により、例えばワイヤレススピーカーを使用するシアターシステム等の場合、対をなして使用すべき機器の台数が予め決まっているため、シアター本体側で過去にペアリングされたスピーカーのリストから、規定の構成のスピーカーの全てにペアリングが設定されてるかを判定して、必要なスピーカーが正しく設定されていない場合はユーザー操作無しに自動的にペアリング待ち状態に移行する機能を提供することができる。同様にスピーカー機器は過去にペアリングがなされたかどうかを判断して未ペアリングの場合にはペアリング動作を行うことによって、ユーザー操作無しに自動的にペアリング動作行う機能を提供することができる。
【０００９】
また、ペアリング状態や履歴を消去する機構を追加することにより、製造時の動作テストなどで一度実行してしまった自動ペアリングを再度やり直す機能が実現できる。
【発明の効果】
【００１０】
以上のように本発明によれば、ペアリングがなされていない機器同士のそれぞれの電源を投入するだけで、各機器のペアリング動作を自動的に開始するため、ユーザーは電源投入以外の特別な操作無しにペアリングを行うことが出来る。つまり、ユーザーの利便性を損なうことなしに、セキュリティ設定を自動的に行う機能を提供できるという利点がある。また、出荷時にペアリングをしておく必要がないため、製造工程を簡素化しコストダウンが実現できるという利点もある。
【図面の簡単な説明】
【００１１】
【図１】本発明の実施の形態１にかかる通信システムの外形図
【図２】本発明の実施の形態１にかかる通信システムのシアター本体の構成図
【図３】本発明の実施の形態１にかかる通信システムのワイヤレススピーカーの構成図
【図４】本発明の実施の形態１にかかる通信システムのワイヤレススピーカーの自動ペアリング時のフローチャート
【図５】本発明の実施の形態１にかかる通信システムのシアター本体の自動ペアリング時のフローチャート
【図６】本発明の実施の形態１にかかる通信システムのシアター本体のペアリング初期化時のフローチャート
【図７】本発明の実施の形態１にかかる通信システムのワイヤレススピーカーのペアリング初期化時のフローチャート
【発明を実施するための形態】
【００１２】
（実施の形態１）
図１は、本発明の実施の形態１にかかる通信システムの外形図である。本発明の実施の形態１の通信システムは、シアター本体１、２〜４本のワイヤレススピーカー２、ディスプレイ３および赤外線リモコン４からなる。
図２は、本発明の実施の形態１にかかる通信システムを構成するシアター本体１の構成図である。シアター本体１は、ペアリング処理部５、未ペアリング判定部６、自動ペアリング実行部７、ペアリング初期化部８、赤外線リモコン受信部９、無線送受信部１０、前面ＦＬ表示パネル１１、ＨＤＭＩ映像音声入出力１２、音声信号処理部１３、スピーカーリスト記憶部１４、スピーカー構成記憶部１５からなる。この内、ペアリング処理部５と未ペアリング判定部６と自動ペアリング実行部７とペアリング初期化部８は処理装置ＭＰＵ上でソフトウェアによって実行される。
図３は、本発明の実施の形態１にかかる通信システムを構成するワイヤレススピーカー２の構成図である。ワイヤレススピーカー２は、ペアリングボタン１６、無線送受信部１７、リンク表示ＬＥＤ１８、音声アンプ出力部１９、ペアリング処理部２０、未ペアリング判定部２１、自動ペアリング実行部２２、ペアリング初期化部２３、ネットワークＩＤ記憶部２４、電源スイッチ２５からなる。この内、ペアリング処理部２０と未ペアリング判定部２１と自動ペアリング実行部２２とペアリング初期化部２３は処理装置ＭＰＵ上でソフトウェアによって実行される。
図４は、自動ペアリング時におけるワイヤレススピーカー２の処理装置ＭＰＵの動作を示すフローチャートである。
図５は、自動ペアリング時におけるシアター本体１の処理装置ＭＰＵの動作を示すフローチャートである。
図６は、ペアリング初期化操作時におけるシアター本体１の処理装置ＭＰＵの動作を示すフローチャートである。
図７は、ペアリング初期化操作時におけるワイヤレススピーカー２の処理装置ＭＰＵの動作を示すフローチャートである。
以下、図１〜図７を参照して、本発明の実施の形態１にかかる通信システムの動作を説明する。
【００１３】
ユーザーがシアター本体１及びワイヤレススピーカー２の設置する際にそれぞれの電源を投入する。通常、これが初回起動となる。
この時、初回起動時のワイヤレススピーカー２は、図４に示すように、電源投入で各回路の電源供給及びリセット解除を行うと、処理装置ＭＰＵが起動し、ネットワークＩＤ記憶部２４から接続すべきネットワークを構成するシアター本体１のＩＤ情報を読み出す（ステップＳ４００）。次に、ネットワークＩＤ記憶部２４に有効なＩＤ情報が記録されているか確認し（ステップＳ４０１）、有効なＩＤ情報が記憶されている場合は、以前にペアリングが行われ正常にネットワークに接続されたことを示すため、その記録されたＩＤ情報に従って、以前にペアリングが行われたネットワークに参加する（ステップＳ４０２）。有効なＩＤ情報が記録されていない場合は、過去にペアリングが行われていないと判断し、ペアリング用共有ネットワークに参加し、ペアリング相手待ちを行う（ステップＳ４０３）。ペアリング用共有ネットワーク内でペアリングが成功して参加すると、ペアリング相手のＩＤ情報をネットワークＩＤ記憶部２４に保存し（ステップＳ４０５）、シアター本体１がもつネットワークに参加する（ステップＳ４０２）。
同様に、初回起動時のシアター本体１は、図５に示すように、電源投入で各回路の電源供給及びリセット解除を行い、処理装置ＭＰＵが起動し、スピーカーリスト記憶部１４から以前にペアリングを行ったスピーカー２のリストを読み出す（ステップＳ５００）。ここで、２本以上のスピーカー２がステップＳ５００で読み出されたスピーカリストに記録されていない場合は、必要数のスピーカー本数が設定されていないと判断し、前面ＦＬ表示パネルに「ＰＡＩＲＩＮＧ」の表示をし、ペアリング用共有ネットワークに参加して１分間ペアリング相手待ちを行う（ステップＳ５０５）。また、スピーカリスト内のスピーカー２が４本未満の場合は同様の処理で５秒間のペアリング待ちを行う（ステップＳ５０２）。ペアリング待ちの時間内にペアリングが成功すると、ペアリング相手のＩＤ情報をスピーカーリスト記憶部１４に保存し（ステップＳ５０４）、起動処理に戻る（ステップＳ５０７）。再度スピーカリスト内のスピーカー数から処理を判定する（ステップＳ５０１）ことにより、２本未満ではペアリング待ち時間をさらに１分間延長する（ステップＳ５０５）、２本以上では５秒間延長（ステップＳ５０２）、４本以上に達した場合はペアリング待ちを即座に終了して、本来のネットワークに戻りスピーカー２との音声チャンネルの接続を開始する。また、ペアリング待ちの時間が経過してもリスト内のスピーカー数が２本に満たない場合は、前面ＦＬ表示パネル１１に「ＮＯ  ＳＰＥＡＫＥＲＳ」または「ＮＯ  ＬＥＦＴ／ＲＩＧＨＴ  ＳＰＥＡＫＥＲ」の表示を行い、ＨＤＭＩ映像音声入出力１２で接続されたディスプレイ３にて「ワイヤレススピーカーが認識されません。全てのスピーカーの電源を入れてください」の警告表示を行い（ステップＳ５０８）、起動処理に戻る（ステップＳ５０７）。この場合も再度リスト内のスピーカー数から処理を判定する（ステップＳ５０１）ことにより、２本未満となり、再度１分間のペアリング待ちをおこなう（ステップＳ５０５）。
これらにより、シアター本体１およびスピーカー２のペアリングが電源投入だけで実現するとともに、必ずペアリングが成立した状態を作り出すことが出来る。
【００１４】
また、本発明の実施の形態１の通信システムは、シアター本体１側の赤外線リモコン４やスピーカー２側のペアリングボタン１６押下によるユーザーの操作による明示的なペアリング開始機能を従来のまま維持する。これにより、操作性における前方互換を提供すると共に、ユーザーが意図しない相手とのペアリングが成立した場合に再設定することを可能とする。
【００１５】
また、工場での製造時などでは動作テストのために、テスト対象とペアリングし接続を確認するが必要であるため、テスト後にペアリング情報を消去して、ユーザーの電源投入が初回起動となるようにシアター本体１とスピーカー２を初期化する必要がある。シアター本体１は、図６のようにリモコンからのコマンドによって工程メニューに入り（ステップＳ６０１）、肯定メニューにおいて「初期化処理」を選択した場合には（ステップＳ６０５）、ペアリング情報初期化を指示することにより、スピーカーリスト記憶部１４のＩＤ情報をすべて消去する（ステップＳ６０７）。また、ワイヤレススピーカー２は、図７のように起動時にペアリングボタン１６が押されているかどうかを判定して（ステップＳ７０１）、押されていた場合にはネットワークＩＤ記憶部２４のＩＤ情報を消去する（ステップＳ７０２）。これによりペアリングボタン１６を押しながら電源を投入することにより、初期化機能を提供する。
【００１６】
以上により本発明の通信システムは、電源の投入以外のユーザー操作を必要とせずに、ペアリング機能を提供することができる。また、本発明の実施の形態１と異なる他のペアリング操作を必要とする別の通信システムにも本発明が流用できることは明らかである。
【産業上の利用可能性】
【００１７】
ペアリング機能を有するワイヤレス、ＰＬＣ或いはその他のネットワーク機器に利用可能である。
【符号の説明】
【００１８】
１    シアター本体
２    ワイヤレスピーカー
３    プラズマディスプレイ
４    赤外線リモコン
５    ペアリング処理部
６    未ペアリング判定部
７    自動ペアリング実行部
８    ペアリング初期化部
９    赤外線リモコン受信部
１０    無線送受信部
１１    前面ＦＬ表示パネル
１２    ＨＤＭＩ映像音声入出力
１３    音声信号処理部
１４    スピーカーリスト記憶部
１５    スピーカー構成記憶部
１６    ペアリングボタン
１７    無線送受信部
１８    リンク表示ＬＥＤ
１９    音声アンプ出力部
２０    ペアリング処理部
２１    未ペアリング判定部
２２    自動ペアリング実行部
２３    ペアリング初期化部
２４    ネットワークＩＤ記憶部
２５    電源スイッチ
【図１】
2010252133.tif 000003
【図２】
2010252133.tif 000004
【図３】
2010252133.tif 000005
【図４】
2010252133.tif 000006
【図５】
2010252133.tif 000007
【図６】
2010252133.tif 000008
【図７】
2010252133.tif 000009